(57)【要約】表示部と認識システムを有するミラー付き電子メッセージボードが開示される。認識システムは、プロセッサと、アイデンティティ入力と、メモリを有する。アイデンティティ入力は、ミラー付き電子メッセージボードの付近におけるユーザのアイデンティティに関するアイデンティティ情報を受信する。プロセッサは、ユーザのアイデンティティを判断するようアイデンティティ情報を解析する。プロセッサは、次に、判断されたアイデンティティを使用して、メモリから識別されたユーザに関連付けられるデータを取出しする。取出しされたデータは、次に、識別されたユーザによる確認のためにミラー付き電子メッセージボードの表示部に供給される。
2006506681.tif 000002
【特許請求の範囲】
【請求項１】
表示部を有するミラーと、
前記表示部に動作可能に結合される認識システムと、
を有し、
前記認識システムは、前記ミラーの付近におけるユーザのアイデンティティを識別し、前記識別されたユーザに関連付けられるデータを、前記表示部に供給するよう構成される、電子メッセージボード。
【請求項２】
前記認識システムは、
アイデンティティ入力と、
プロセッサと、
メモリと、
を有し、
前記プロセッサは、前記アイデンティティ入力及び前記メモリと動作可能に結合され、
前記プロセッサは、前記アイデンティティ入力からアイデンティティ情報を受信し、前記ユーザの前記アイデンティティを判断し、前記識別されたユーザに関連付けられるデータを取出しするよう構成される、請求項１記載の電子メッセージボード。
【請求項３】
前記アイデンティティ入力は、前記ミラーの周りの付近の画像を受信するよう構成されるカメラ入力であり、
前記プロセッサは、前記ユーザの前記アイデンティティを判断するために、既知のユーザの前記メモリ内に格納された画像を、前記受信した画像と比較するよう構成される請求項２記載の電子メッセージボード。
【請求項４】
前記アイデンティティ入力は、前記ミラーの周りの付近からのオーディオデータを受信するよう構成されるオーディオ入力であり、
前記プロセッサは、前記ユーザの前記アイデンティティを判断するために、既知のユーザの前記メモリ内に格納されたオーディオ署名を、前記受信したオーディオデータと比較するよう構成される請求項２記載の電子メッセージボード。
【請求項５】
前記ミラーは、選択領域を有し、
前記アイデンティティ入力は、ユーザアイデンティティ選択を受信するよう構成される接触感応入力である請求項２記載の電子メッセージボード。
【請求項６】
前記メモリは、複数のユーザのアイデンティティ情報と、前記複数のユーザのそれぞれに関連付けられる対応データを格納するよう構成される請求項２記載の電子メッセージボード。
【請求項７】
複数のユーザのうちの特定の一人に対応するデータを供給する電子方法であって、
ミラー付き電子メッセージボードの付近におけるユーザを識別する段階と、
前記識別されたユーザに関連付けられるデータを取出しする段階と、
前記ミラー付き電子メッセージボード上に、前記識別されたユーザに関連付けられる前記データを表示する段階と、
を有する方法。
【発明の詳細な説明】
【技術分野】
【０００１】
本発明は、一般的に、容易に評価可能なメモボードを供給する方法及びシステムに関わり、特に、ミラーに基づいたメモボードを供給する方法及びシステムに係る。
【背景技術】
【０００２】
ミラー面と、ミラー面の背後に配置される表示パネルを有する自動車バックミラーを供給するシステムがある。これらのシステムでは、表示パネルは、表示パネルが作動されるとき、ミラー面を通して見える画像を供給するよう動作する。例えば、そのコンテンツの全体を記載したものとして本願に組み込む、Tsengへの米国特許第６，４１２，９５９号は、そのようなバックミラーを示す。表示パネルは、アンテナ又はビデオカメラを介して受信された情報を表示するよう使用される。このように、バックミラーは、そのコンテンツの全体を記載したものとして本願に組み込む、Buckley外への米国特許第６，１０６，１２１号に示すように、自動車に関係する情報を表示し得る。この特許では、ミラー面の背後にマトリクスディスプレイを有するバックミラーが、車両速度、時刻、又はラジオ局データといった車両制御データを表示し得る。独国特許公開番号ＤＥ３７２０８４８は、車両転向情報が、バックミラー上に表示され得ることを示す。そのコンテンツの全体を記載したものとして本願に組み込む、Younへの国際特許公開番号ＷＯ０２／４９８８１に示す更なるシステムでは、可視ディスプレイを有するバックミラーが、後ろに面しているカメラにより補足された後方画像、ナビゲーションマップ情報、及びテレビジョン画像信号といった情報を表示可能である。
【０００３】
しかし、これらのシステムのそれぞれは、それぞれが特定の情報に制限される点、特定のユーザに特に適応された情報を供給する能力はないという点の多くの欠点を有する。
【０００４】
そのコンテンツの全体を記載したものとして本願に組み込む、Lemelson外への米国特許第６，４００，８５３号は、バックミラーに面するカメラを使用するセキュリティシステムを示す。カメラは、バックミラーを使用する現在の運転手の画像を得、その画像を、許可されている運転者の格納された画像と比較する。現在の運転手と格納された許可されている運転手が一致すれば、その自動車は、運転可能にされる。このセキュリティシステムは更に、座席位置、車内温度、外部ミラー及び窓調整、ステアリングコラムの角度、音楽セレクション、又は音量といった車両の様々な動力付きオプションのパーソナライズ化を与え得る。このシステムは、実際に現在の運転手に対してパーソナライズ化されるが、バックミラーに情報が表示されることについては開示がなく、より重要なことには、車両の動力付きのオプション以外の特徴にパーソナライズ化が与えられていない。
【発明の開示】
【発明が解決しようとする課題】
【０００５】
従って、本発明は、従来技術の不利点を解決することを目的とする。
【課題を解決するための手段】
【０００６】
本発明は、表示部と認識システムを有するミラー付き電子メッセージボードを有するシステムを提供する。認識システムは、プロセッサと、アイデンティティ入力と、メモリを有する。アイデンティティ入力は、ミラー付き電子メッセージボードの付近におけるユーザのアイデンティティに関するアイデンティティ情報を受信する。プロセッサは、ユーザのアイデンティティを判断するためにそのアイデンティティ情報を解析する。次に、プロセッサは、決定されたアイデンティティを使用して、メモリから識別されたユーザに関連付けられるデータを取出しする。取出しされたデータは、次に、その識別されたユーザによる確認のためにミラー付き電子メッセージボードの表示部に供給される。
【０００７】
１つの実施例では、アイデンティティ入力は、ミラー付き電子メッセージボードの周りの付近の画像を受信するための、カメラ入力といった、画像入力である。プロセッサは、ユーザを識別するために、受信した画像と、既知のユーザの画像のデータベースとを比較するよう画像認識システムを使用する。別の実施例では、システムは、ユーザのアイデンティティを判断するために音声入力か又は触覚入力を使用する。
【発明を実施するための最良の形態】
【０００８】
本発明のこれらの及び他の特徴は、添付図面と以下の詳細な説明からより明らかとなろう。
【０００９】
図１は、本発明の実施例による例示的なシステム１００を示し、認識システム１２０に動作可能に結合されるミラー１１０を有する。本発明の実施例に従った動作を容易にするよう認識システム１２０は、カメラ１２４といった画像入力装置に動作可能に結合されるプロセッサ１２２を有し得る。カメラ１２４は、ユーザ１４０の画像を捕捉するよう用いられ得る。プロセッサは更に、メモリ１２６、マイクロホン１２８といったオーディオ入力、パッシブ赤外線（ＰＩＲ）動作センサといった動作センサ１２３、及び、ミラー１１０に与えられる触覚入力を感知するようミラー１１０の背後に動作可能に位置付けられる接触感応パネル１２５に動作可能に結合されてもよい。
【００１０】
本発明の更なる動作は、本発明の実施例によるフローチャート２００を示す図２を参照しながら説明する。図示するように、段階２０５において、システム１００は、認識システム１２０を用いて、ユーザがミラー１１０の前に立つ等、ミラー１００の付近に位置付けられるか否かが判断される。ユーザが、ミラー１１０の付近に位置付けられていないという場合、認識システム１２０は、ミラー１１０の付近にいるユーザを検出するまで段階２０５を連続的に処理する。
【００１１】
認識システム１２０がミラー１１０の付近にユーザが入ったことを判断する周知の方法が当該技術において多くある。例えば、動作センサ１２３が、ミラー１１０に近付くユーザの動作を検出するよう位置付けられ得る。或いは、又は、それと組み合わせて、カメラ１２４が、ミラー１１０の前の光景の画像を定期的に処理し得る。ミラー１１０の前のユーザの存在は、例えば、現在の画像と、前の画像又は或いはメモリ１２６内に格納された画像といった基準画像との差分画像を生成することにより判断してもよい。しかし、当業者は、ミラー１１０の前にユーザが位置付けられていることを判断するためにカメラ１２４を使用する多くの方法があることを理解すべきである。従って、これらの周知の方法のそれぞれが、本発明の範囲内であることを理解すべきである。
【００１２】
１つの実施例では、ミラー１１０の少なくとも一部は、選択領域１１６といったような接触感応部を有し得、接触感応パネル１２５が入力の存在を判断する。動作時には、接触感応パネル１２５は、選択領域におけるユーザ選択を感知するようミラー１１０に対して動作可能に位置付けられる。本願に記載するように、「接触感応パネル」は、ミラー１１０の表面に接触する又はミラー１１０の表面の付近にくるユーザを含む触覚ユーザ入力を検出する全ての周知の手段を包含すると理解すべきである。表示面上の触覚入力は、携帯情報端末（ＰＤＡ）及びタブレット形式パーソナルコンピュータにおいて使用されるように当該技術において周知である。本発明の１つの実施例では、ユーザ１４０が、選択領域１１６の一部に触るために指又はスタイラス１５０を使用するといったようにユーザ１４０が選択領域１１６の動作可能な近傍に入ってくることの感知は、接触感応パネル１２５により感知される。接触感応パネル１１６によるこの感知は、ユーザ１４０が、ミラー１１０の前に位置付けられていることを判断するよう用いられ得る。
【００１３】
更に別の実施例では、ユーザ１４０がミラー１１０の前に位置付けられていることを判断するためにユーザ１４０からのオーディオ指示を捕捉するようマイクロホン１２２を用いてもよい。いずれの場合も、上述した方法は、請求項により特に必要とされない限り本発明の他の実施例に特定の制限を課すものではないことを理解すべきである。
【００１４】
ミラー１１０の付近にユーザが位置付けられていることを判断するために、どの方法を用いようとも、段階２１０において、認識システム１２０は、ユーザのアイデンティティを判断する。当業者には明らかであるように、上述したミラー１１０の付近にユーザ１４０がいることを判断するために使用するシステムのそれぞれは、ミラー１１０の付近にユーザが位置付けられていることの判断と同時に又は続いて、ユーザ１４０のアイデンティティも判断するよう用いられ得る。従って、図２における別個の段階２０５及び２１０への分離は、本発明に必要な制限と解釈すべきではない。
【００１５】
ユーザ１４０のアイデンティティを判断するために、プロセッサ１２２は、カメラ１２４からのユーザ１４０の現在の画像と、前に識別されたユーザを含む画像の、メモリ１２６内に格納されたデータベースと比較し得る。或いは、プロセッサ１２２は、ユーザ１４０からの音声入力を捕捉するためにマイクロホン１２８を用い得る。同様に、音声入力は、メモリ１２６内に格納された前に識別された音声入力のデータベースと比較され得る。更なる実施例では、ユーザ１４０は、認識システム１２０に対してユーザ１４０のアイデンティティを指示するために、ミラー１１０の選択領域１１６を用いる場合もある。
【００１６】
認識システム１２０によってユーザ１４０がどのように識別されるかに関わらず、段階２２０において、プロセッサ１２２は、識別されたユーザ１４０に関連付けられるデータを、メモリ１２６に問合わせする。このデータは、スケジュールデータ、予約データ、連絡先データ、必要タスク完了データ、又は、識別されたユーザに関連し得る任意の他のデータを有し得る。
【００１７】
プロセッサ１２２が識別されたユーザ１４０に関連付けられたデータを取出しした後、段階２３０において、プロセッサ１２２は、関連データを、ミラー１１０の表示部１１４に供給する。認識システム１２０がユーザ１４０を適切に識別したことをユーザが確実にすることを容易にするために、表示部１１４の一部に、ユーザ１４０の判断されたアイデンティティを表示し得る。
【００１８】
いずれの場合においても、プロセッサ１２２が、関連データを表示部１１４に幾らかの時間の間供給した後、段階２４０において、プロセッサ１２２は、ユーザが、追加の及び／又は別のユーザ特定データの表示を要求したか否かを判断する。説明するに、認識システム１２０は、ユーザが、追加の及び／又は別のユーザ特定データを要求したか否かを判断するために接触感応パネル１２５又はマイクロホン１２８を用い得る。ユーザが追加の及び／又は別のユーザ特定データを要求した場合は、プロセッサ１２２は、追加の及び／又は別のユーザ特定データを取出しするよう段階２２０に戻り、その後は、上述したように動作する。ユーザが、追加の及び／又は別のユーザ特定データを要求しない場合は、プロセッサ１２２は、段階２０５に戻り、別のユーザが、ミラー１１０の付近に入ってきたことの判断まで待機する。
【００１９】
最後に、上述した内容は、本発明の説明するに過ぎず、請求項を任意の特定の実施例又は実施例の群に制限すると解釈すべきではない。例えば、プロセッサ１２２は、ミラー１１０とは別個に示すが、これらは、１つのユニットに組み合わせ得ることは明らかである。更に、プロセッサは、本発明に応じて実行する専用プロセッサか、又は、多くの機能のうちの１つの機能のみが本発明に応じて実行する汎用プロセッサでもあり得る。プロセッサは、プログラム部、複数のプログラムセグメントを用いて動作するか、又は、専用又は多目的集積回路を使用するハードウェア装置であり得る。ユーザの存在及びアイデンティティを識別するために用いる上述したシステムのそれぞれは、更なるシステムと共に用いられてもよい。例えば、システム１００は、ユーザ１４０の存在及びアイデンティティを判断するためにカメラ１２４を用い、また、その後、ユーザ１４０に、マイクロホン入力１２８を使用してユーザのアイデンティティを確認するようスピーカ（図示せず）又は表示部１１４を介して言葉で問合わせし得る。メモリ１２６は、１つ以上の半導体メモリ、１つ以上の光学メモリ、又は、周知のメモリ素子の任意の他の組み合わせから構成され得る。当業者によって多数の別の実施例が、請求項の精神及び範囲から逸脱することなく想到され得る。
【００２０】
請求項を解釈する際に、以下のことを理解すべきである。
【００２１】
ａ）「有する」という用語は、所与の請求項に記載される素子又は段階以外の素子又は段階の存在を排除するものではない。
【００２２】
ｂ）単数形で示される素子は、複数のそのような素子が存在することを排除するものではない。
【００２３】
ｃ）請求項にある任意の参照符号は、その範囲を制限するものではない。
【００２４】
ｄ）幾つかの「手段」は、同じアイテム又はハードウェア、又は、ソフトウェアにより実施される構造又は昨日により表され得る。
【００２５】
ｅ）開示する素子のそれぞれは、ハードウェア部（例えば、別個の電子回路）、ソフトウェア部（例えば、コンピュータプログラミング）、又はそれらの任意の組み合わせから構成され得る。
【図面の簡単な説明】
【００２６】
【図１】本発明の１つの実施例による、例示的なユーザ認識システム及びミラー付き表示面を有するシステムの例示的な実施例を示す図である。
【図２】本発明の１つの実施例によるシステムの動作を説明するフローチャートである。
【図１】
2006506681.tif 000003
【図２】
2006506681.tif 000004
【国際調査報告】
2006506681.tif 000005
2006506681.tif 000006